(57)【特許請求の範囲】
【請求項１】
洗浄スペースを形成するハウジングを備え、前記ハウジングがシンク本体（１）を有するシンク式洗浄機であって、
前記シンク本体（１）には少なくとも中央部分で下方に凹む凹部が形成され、前記凹部には前記凹部と同じ形状の水切板がかぶせられ、前記水切板には水切りのための複数の水切穴（３１）が設けられ、前記凹部と前記水切板との間のスペースによりドレイン領域（３２）が形成され、前記水切板と前記シンク本体（１）の底部の他の部分とは同一平面で、前記ドレイン領域（３２）内に当該ドレイン領域（３２）の水を前記水切板の上方に汲み出すポンプが設けられ、
前記ポンプは羽根車（５１）とガイドブラケット（５２）とを有し、前記羽根車（５１）は、末端がモーター（４）の出力軸（４１）と接続される中空の軸（５１１）と、前記軸（５１１）の周面に均等に分布し軸方向に延びる複数の羽根（５１２）と、を有し、前記ガイドブラケット（５２）の中心に前記羽根（５１２）の下部を格納する下部格納空洞（５２２）が形成され、前記ガイドブラケット（５２）の底面と前記シンク本体（１）の底部との間に間隔が空いており、
前記中央領域（３４）の中心にポンプを通す取付孔（３３）が設けられ、前記ガイドブラケット（５２）の最上部が前記取付孔（３３）を介して前記水切板から露出し、前記ガイドブラケット（５２）の前記下部格納空洞（５２２）の外周に下段差面（５２３）が設けられ、前記水切板の前記取付孔（３３）の周囲に位置する部分が、前記下段差面（５２３）上に戴置されることを特徴とする、
シンク式洗浄機。
【請求項２】
前記シンク本体（１）は中央部分でのみ下方に凹み、
前記凹部は、
前記シンク本体（１）の底板（１１）により形成される、
又は、
前記シンク本体（１）の底板（１１）が一部切り欠かれて、切り欠かれた部分の下方にケーシングを設置することで形成される、
ことを特徴とする、
請求項１に記載のシンク式洗浄機。
【請求項３】
前記水切板（３）は、細長い形状、長円形状、又は楕円形状であって、前記水切板の中央領域の幅は、前記中央領域の両側に位置する翼部領域の幅より広いことを特徴とする、
請求項１又は２に記載のシンク式洗浄機。
【請求項４】
前記中央領域（３４）の中心にポンプを通す取付孔（３３）が設けられ、前記水切板の前記取付孔（３３）を囲う部分に環状の閉鎖領域（３６）が設けられ、前記閉鎖領域（３６）には前記水切穴（３１）が設けられないことを特徴とする、
請求項３に記載のシンク式洗浄機。
【請求項５】
前記水切板が前記シンク本体（１）の底部の対角線に沿って延びることを特徴とする、
請求項３に記載のシンク式洗浄機。
【発明の詳細な説明】
【技術分野】
【０００１】
本発明は、洗浄機、特にシンク式洗浄機に関するものである。
【背景技術】
【０００２】
食器洗浄機は、冷水又はお湯を食器に噴射することにより、食器に付着する汚物を取り除いて、食器を洗浄する装置である。食器が食器洗浄棚内の食器のラックに置かれる食器洗浄機は、一般的に、洗浄水を噴射するポンプとノズル、お湯を作るヒーター等を有する。従来の食器洗浄機には、すでに蒸気を食器の洗浄に利用しているものがある。加熱されたお湯を使用する場合に比べて、蒸気を利用すると洗浄時間がより短縮され、洗浄効果が向上するが、これらの食器洗浄機は、所要スペースが大きいという共通の欠点を有する。このような食器洗浄機は、通常、それ自体で独立したケーシング及び独立した部品を必要とするため、食器洗浄機の体積は、一般的に大きくなり、人数の多い家族や一人当たりの居住面積が小さい家庭での使用には適しない。そのため、多くの家庭で食器洗浄機の使用は普及していない。
【０００３】
スペースを節約するため、すでに多くのシンク式の洗浄機が設計されている。従来のシンクを洗浄機に取り替え、直接、シンクを洗浄スペースとする設計では、一般的にモーター駆動されるポンプと連結される回転スプレーアームが、シンクの底部に設けられる。中国特許出願公開第101600371号明細書（出願番号200880003431.6）「食器洗浄器一体型シンク第及びこれのための洗浄水スプレー設備」に開示されているように、洗浄水スプレー設備は流し台に取り付けられて、食器を洗う洗浄水を噴出する。
【０００４】
前記装置は、
流し台の底にグリルを介在して配置される食器を洗浄するように給水ポンプによって供給される加圧洗浄水を噴出させるための噴出孔が形成されている噴射ヘッドと、
この噴射ヘッドを回転可能に受容して流し台の底面に取り付けるための固定手段と、
給水ポンプによって供給される加圧洗浄水によって作動され、上記の噴射ヘッドを回転させるように設置される回転駆動手段と、
洗浄動作ではない時に上記の噴出孔を通じた流し台からの逆流を防止するために、上記の噴射ヘッドの噴出孔を閉鎖させて、洗浄動作時に上記の噴射ヘッドの噴出孔を開放させるように昇降する開閉部材と、
上記の開閉部材を昇降させるための昇降装置と、
を含んで構成される。
【０００５】
この種のシンク式洗浄機には、回転スプレーアームとポンプとがいずれも洗浄領域に設けられており、ポンプが洗浄領域から水を直接補充するため、補充される水に油汚れ及び／又は食べ物の屑が混入するのを避けられず、これにより、ポンプの動作効率及び使用寿命に影響を与えることになる。また、ポンプの水補充には、ある程度の水位を必要とし、シンクの底部全体が水補充の領域となるため、シンク底部の面積が大きくなるほど、洗浄に必要な水量も多くなる。洗浄過程において、ある程度の洗剤の濃度を維持しなければならないため、必要とする洗剤も多くなって、浪費となってしまい、環境にも悪影響を与える。
【発明の概要】
【発明が解決しようとする課題】
【０００６】
本発明で解決しようとする第一の技術的課題は、上記の従来技術の課題に対して、洗浄過程において食べ物の屑がポンプに入ることを有効に阻止できるシンク式洗浄機を提供することである。
【０００７】
本発明で解決しようとする第二の技術的課題は、洗浄に使う水の水量を有効に削減しつつポンプの水補充には影響を与えないシンク式洗浄機を提供することである。
【課題を解決するための手段】
【０００８】
本発明が上記第一の技術的課題を解決するために採用する技術的解決手段は、次のとおりである。
【０００９】
洗浄スペースを形成するハウジングを備え、前記ハウジングがシンク本体を有するシンク式洗浄機であって、
前記シンク本体は少なくとも中央部分で下方に凹み、凹部には凹部と同じ形状の水切板がかぶせられ、前記水切板には水切りのための複数の水切穴が設けられ、前記凹部と水切板との間のスペースによりドレイン領域が形成され、前記水切板とシンク本体の底部の他の部分とは同一平面で、前記ドレイン領域内に当該ドレイン領域の水を水切板の上方に汲み上げるポンプが設けられることを特徴とする、シンク式洗浄機である。
【００１０】
上記第二の技術的課題を更に解決するため、シンク本体は中央部分でのみ下方に凹み、凹部は、前記シンク本体の底板により形成される、又は、前記シンク本体の底板が一部切り欠かれて、切り欠かれた部分の下方にケーシングを設置することで形成される。これにより、洗浄用水及び洗剤が有効に節約される。また、シンク本体のドレイン領域外に、超音波発生装置等の他の部品を設けてもよい。
【００１１】
ポンプの周囲から水が均等に入るように、前記水切板は細長い形状、長円形状、又は楕円形状であり、水切板の中央領域の幅は中央領域両側に位置する翼部領域の幅より広い。
【００１２】
前記中央領域の中心にポンプを通す取付孔が設けられ、水切板上の取付孔を囲む部分に環状の閉鎖領域が設けられ、前記閉鎖領域には水切穴が設けられない。このようにすることで、水切板の上方とポンプとの間に水を加速するための一定の距離を確保でき、ポンプが負圧を形成しやすくなって、より良好な水の汲み上げ効果が得られる。
【００１３】
ドレイン領域の水の収容量を増やすために、ドレイン領域から噴射した水が戻る経路を短くして、水がむらなく入ってくるようにすることで、より洗浄がしやすくなる。前記水切板は、シンク本体の底部の対角線に沿って延びることが好ましい。
【００１４】
ポンプの構造を簡素化し、ポンプの製造プロセスを簡単にするためには、前記ポンプは開放式ポンプであることが好ましい。前記ポンプは、羽根車とガイドブラケットとを有し、前記羽根車は、末端がモーターの出力軸と接続される中空の軸と、軸の周面に均等に分布し軸方向に延びる複数の羽根と、を有し、前記ガイドブラケットの中心に前記羽根の下部を格納する下部格納空洞が形成され、前記ガイドブラケットの底面とシンク本体の底部との間に間隔が空いている。
【００１５】
洗浄しやすくするための水切板とガイドブラケットとの好ましい連結方式は、以下の通りである。前記ガイドブラケットの最上部が取付孔を介して水切板から露出し、ガイドブラケットの下部格納空洞の外周に下段差面が設けられ、前記水切板の取付孔の周囲に位置する部分が下段差面上に戴置される。
【発明の効果】
【００１６】
従来技術と比較した本発明の有益な効果として：
水切板により覆われるドレイン領域が設けられ、ポンプがドレイン領域内に設けられることにより、ポンプが洗浄領域と離され、ポンプに戻る水がまず水切板に濾過されるため、ポンプの動作効率と使用寿命とが向上する。
シンク本体底部の中央部分のみに凹状のドレイン領域を設けることにより、シンク本体底部の面積がどんなに大きくても、ドレイン領域では同じ貯水量を維持でき、洗浄用水及び洗剤を有効に節約できる。
水切板の中央の幅を両側の幅より大きくすることで、中心にあるポンプが各側面からむらなく水を受け取ることができ、節水を前提としつつも水を確実に補充することができるようになる。
水切板のポンプ上方部分に水切穴を設けないことで、当該部分の水がポンプに到達するまでに水を加速するための一定の距離を確保でき、ポンプが負圧を形成しやすくなって、より良好な水の汲み上げ効果が得られる。
【図面の簡単な説明】
【００１７】
【図１】本発明の実施例１のシンク式洗浄機の構造模式図である。
【図２】本発明の実施例１のシンク式洗浄機の局部断面図である。
【図３】本発明の実施例１の水切板及びポンプの構造模式図である。
【図４】本発明の実施例２の水切板の構造模式図である。
【図５】本発明の実施例３の水切板の構造模式図である。
【発明を実施するための形態】
【００１８】
次に、図面と関連付けて本発明の実施例について更に詳細に説明する。
【実施例１】
【００１９】
図１〜図３に示すのは、本発明のシンク式洗浄機の、一つの好ましい実施例である。当該シンク式洗浄機は、食器、野菜、果物等の洗浄に用いることができ、シンク本体１と、シンク本体１の最上部に回転可能に連結されるカバー板２と、を有する。シンク本体１は、家庭用の通常のシンクでもよい。シンク本体１とカバー板２との間に洗浄スペースが形成され、上記の食器、野菜、果物等を収容して、これらを洗浄する。
【００２０】
シンク本体１の底板１１は、少なくとも中央部分で下方に凹んでおり、底板１１の凹部の上方に、凹部と同じ形状の水切板３が間隔を空けてかぶせられている。水切板３には、水切りをするための複数の水切穴３１が設けられ、水切板３と底板１１の凹部との間の間隔を空けたスペースによりドレイン領域３２が形成される。水切板３と底板１１の他の部分とは、同一平面になっている。ドレイン領域３２は、次のように形成されてもよい。底板１１の一部を切り欠いて、切り欠いた部分の下方にケーシングを設け、ケーシングの上方に水切板３をかぶせて、底板１１の他の部分と同一平面とする。ケーシングと水切板３との間のスペースによりドレイン領域３２が形成される。あるいは、水切板３の形状やサイズを底板１１の形状やサイズと同じにして、全体を底板１１の上方に位置させ、底板１１との間隔を空けることで、水切板３と底板１１との間の間隔を空けたスペースによりドレイン領域３２を形成してもよい。
【００２１】
シンク本体１の外部の、底板１１の下方にモーター４を取り付ける。モーター４の出力軸４１は、シンク本体１内に延び、底板１１の上方のドレイン領域３２内に位置する。または、ケーシングを用いる場合、モーター４の出力軸４１は、ケーシングの上方のドレイン領域３２内に延びる。
【００２２】
ポンプがドレイン領域３２内に設けられ、水切板３の上方の洗浄スペースと離されることによって、洗浄後にドレイン領域３２内に戻る食べ物の屑が混ざった水がまず水切板３に濾過されるため、食べ物の屑がポンプ５に入ってポンプ５を塞がないようにすることができ、これによって、ポンプ５の動作効率及び使用寿命を向上することが可能となる。
【００２３】
本実施例では、開放式のポンプが用いられる。ポンプ５は、羽根車５１を有する。羽根車５１は、その中心に位置する中空の軸５１１、及び、軸５１１の周面に設けられている複数の羽根５１２を有する。羽根５１２は、軸５１１の周面に均等に分布し、軸方向に延びる。軸５１１の下端がモーター４の出力軸４１と接続されるため、モーター４は回転時に羽根車５１を回転させる。
【００２４】
羽根車５１の外側にはガイドブラケット５２が設けられる。ガイドブラケット５２の周方向に複数の取付スタンド５２１が設けられ、取付スタンド５２１は、ボルト等により底板１１、ケーシング、又は、モーター４と固定される。ドレイン領域３２内の水が流れるよう、ガイドブラケット５２の底面とドレイン領域３２の底面との間には間隔が空けられている。羽根５１２の下部はガイドブラケット５２の中心に形成されている下部格納空洞５２２内に位置し、上部はガイドブラケット５２から露出する。
【００２５】
好ましくは、ガイドブラケット５２の最上部は水切板３から露出し、水切板３のガイドブラケット５２に対応する位置には、ガイドブラケット５２又は羽根５１２の上部を通すための取付孔３３が設けられる。これにより、当該羽根車５１の少なくとも一部は、水切板３から露出し、水切板３の上方に位置する。ガイドブラケット５２の中心の下部格納空洞５２２の外周に下段差面５２３が設けられ、下段差面５２３は水切板３の下面と当接し、水切板３の取付孔３３の周囲に位置する部分が下段差面５２３上に戴置される。ガイドブラケット５２全体がドレイン領域３２内に位置するようにしてもよい。
【００２６】
ドレイン領域３２は細長い形状であり、かつ、端部が両側から中間へと傾斜して尖った角を形成し、シンク本体１の底部の対角線に沿って延びる。
【００２７】
これに合わせて、水切板３の形状は、ドレイン領域３２の形状に一致させられる。水切板３の中央領域３４の幅は、中央領域３４の両側に位置する翼部領域３５の幅より広くとられる。取付孔３３は水切板３の中央領域３４の中心に位置し、水切板３の取付孔３３を囲む部分には環状の閉鎖領域３６が設けられる。当該閉鎖領域３６には、水切穴３１が設けられない。水切板３の両側の翼部領域３５から入る水が多いので、中央領域３４の幅を大きくすることで、羽根車５１の周囲から入る水の量にむらをなくすことができる。
【００２８】
閉鎖領域３６を設けることで、水は、取付孔３３の周囲からドレイン領域３２内の羽根車５１の周囲に直接流れ込めなくなり、閉鎖領域３６の外周まで迂回してからドレイン領域３２に入ることになるため、水切板３の中央領域３４を通過してドレイン領域３２に到達する水と羽根車５１との間にはある程度の距離がある。これにより、水流が加速するための一定の距離を持たせて、負圧を形成しやすくなり、羽根車５１の水の汲み上げ効率を向上させ、スムーズにドレイン領域３２から水を汲み出すことができるようになる。
【００２９】
ガイドブラケット５２の最上部は、回転スプレーアーム６を支持する。回転スプレーアーム６は、水切板３の上方に位置し、回転スプレーアーム６の中央の底部には、羽根５１２の上部を格納する上部格納空洞６１が形成される。ガイドブラケット５２の下部格納空洞５２２と、羽根車５１と、上部格納空洞６１とで、ドレイン領域３２内の水を汲み出すための上記のポンプ５が形成され、回転スプレーアーム６により洗浄対象（上記の食器、野菜、果物等）が洗浄される。
【００３０】
回転スプレーアーム６は、上蓋体６２と下蓋体６３とを有しており、これらの間に上部格納空洞６１と連通する流路が形成される。上部格納空洞６１は回転スプレーアーム６の中央に位置し、流路は上部格納空洞６１の両側に位置する。上蓋体６２の上面に複数の出水孔６２１が設けられ、出水孔６２１は流路の上方に位置する。流路に対応して、ポンプにより汲み上げられた水が上部格納空洞６１を通過して流路に流れ、出水孔６２１から噴出し、洗浄対象を洗浄する。ガイドブラケット５２の下段差面５２３の上方位置に上段差面５２４を更に設けて回転スプレーアーム６の下面と当接させ、回転スプレーアーム６を上段差面５２４上に戴置する。
【００３１】
ポンプ５を通常の密閉式構造のポンプに替えて、ドレイン領域３２内の水を密閉式のポンプ内に吸入し、出口から回転スプレーアーム６内に送り出してもよい。すなわち、回転スプレーアーム６は依然として密閉式のポンプの水を排出する部品となる。
【００３２】
ドレイン領域３２に、屑かご３２１が更に設けられる。屑かご３２１の上端は、水切板３から出るようにする。屑かご３２１は、屑かご３２１につながれる排水パイプをつまらせないよう、洗浄後の屑を収容する。底板１１の水切板３の周囲に位置する部分には、超音波発生器１１２が設けられてもよい。
【実施例２】
【００３３】
図４は、本発明のシンク式洗浄機における水切板の他の選択可能な実施例、すなわち、実施例２を示す。本実施例２の上記実施例１との相違点は、水切板３’が楕円形になっていて、同様に、その中央領域３４’の幅が翼部領域３５’の幅より広い点にある。
【実施例３】
【００３４】
図５は、本発明のシンク式洗浄機における水切板の更なる他の選択可能な実施例、すなわち、実施例３を示す。本実施例３の上記実施例１との相違点は、水切板３”が長円形になっていて、同様に、その中央領域３４”の幅が翼部領域３５”の幅より広い点にある。
【先行技術文献】
【特許文献】
【００３５】
【特許文献１】中国特許出願公開第１０１６００３７１号明細書
【図１】
0006407290.tif 000002
【図２】
0006407290.tif 000003
【図３】
0006407290.tif 000004
【図４】
0006407290.tif 000005
【図５】
0006407290.tif 000006